(57)【特許請求の範囲】
【請求項１】
防水性を要する設備を収納するための防水カバーであって、
カバー本体部と、
前記カバー本体部の下蓋と、を有し、
前記下蓋には、帯状のシートで構成され、当該帯状のシートが所定の角度で前記下蓋から起ち上がるように前記下蓋に取り付けられた水飛沫逆流防止部が設けられており、
前記水飛沫逆流防止部の上側端部は、前記カバー本体部の内側側面に接していることを特徴とする防水カバー。
【請求項２】
請求項１において、
前記下蓋は平板で構成され、
前記下蓋の前記平板と前記カバー本体部の内側側面との間に隙間が形成されていることを特徴とする防水カバー。
【請求項３】
請求項１又は２において、
前記下蓋には切欠きが形成されていることを特徴とする防水カバー。
【請求項４】
請求項１乃至３の何れか１項において、
前記帯状シートは可撓性材料で構成されていることを特徴とする防水カバー。
【請求項５】
請求項１乃至４の何れか１項において、
前記水飛沫逆流防止部の上側端部で構成される面のサイズは、前記カバー本体部の内側側面の断面のサイズと等しいかそれよりも大きく構成されていることを特徴とする防水カバー。
【請求項６】
請求項１乃至５の何れか１項において、
前記水飛沫逆流防止部の下側端部と前記下蓋の平板との間には隙間が形成されていることを特徴とする防水カバー。
【請求項７】
防水性を要する設備を収納するための防水カバーであって、
カバー上部材又はカバー本体部と、
カバー下部材と、を有し、
前記カバー上部材又は前記カバー本体部が前記カバー下部材と固定されることによって形成される空間に前記設備が収納され、
前記カバー下部材には、帯状のシートで構成され、当該帯状のシートが所定の角度で前記カバー下部材から起ち上がるように前記カバー下部材に取り付けられた水飛沫逆流防止部が設けられており、
前記水飛沫逆流防止部の上側端部は、前記カバー本体部の内側側面に接していることを特徴とする防水カバー。
【請求項８】
請求項７において、
前記カバー上部材は、ドーム形状をなしていることを特徴とする防水カバー。
【請求項９】
請求項７において、
前記カバー下部材は、柱状部品で構成されることを特徴とする防水カバー。
【発明の詳細な説明】
【技術分野】
【０００１】
本発明は、防水カバーに関し、例えば、内部に防水性を要する設備を収容するためのカバーに関するものである。
【背景技術】
【０００２】
防水性を要する設備を屋外や屋内プール等、水がかかる可能性がある場所へ設置する際には、カバー内に収納されて設置されることが多い。特に、携帯電話機の基地局アンテナなどの電気設備は、カバー内に収納され、内部への浸水を防止するようにしている。ところが、カバーに収納したとしても凍結や結露などによりカバー内部に水分がたまってしまうことがある。このたまってしまった水分により、内部に収納された電気設備が故障してしまうことがある。このため、たまった水分はカバーから抜く必要がある。
【０００３】
例えば、特許文献１には、カバーの底蓋に水抜き穴を設けるとともに、水飛沫の逆流を防止するための防水シートを底蓋に取り付けたアンテナカバーが開示されている。特許文献１のアンテナカバーによれば、カバー内部で発生した水分を抜くことができると共に、防水シートによりカバー内部への水（雨水等）の浸入を防ぐことができるようになる。
【先行技術文献】
【特許文献】
【０００４】
【特許文献１】特開２００８−２１１３２４号公報
【発明の概要】
【発明が解決しようとする課題】
【０００５】
本発明は、カバー内部からの水抜き機能、及びカバー内部への浸水防止機能を担保しつつ、防水カバーの製造コストをさらに抑えることを可能とする技術を提供する。
【課題を解決するための手段】
【０００６】
上記課題を解決するために、本発明は、防水性を要する設備を収納するための防水カバーに関し、カバー本体部と、カバー本体部の下蓋と、水飛沫逆流防止部を有する。ここで、水飛沫逆流防止部は、帯状のシートで構成され、当該帯状のシートが所定の角度で下蓋から起ち上がるように当該下蓋に取り付けられている。
さらなる本発明の特徴は、以下本発明を実施するための形態および添付図面によって明らかになるものである。
【発明の効果】
【０００７】
本発明によれば、カバー内部からの水抜き機能、及びカバー内部への浸水防止機能を担保しつつ、屋外設備用カバーの製造コストをさらに抑えることができるようになる。
【図面の簡単な説明】
【０００８】
【図１】本発明の実施形態によるアンテナカバーの外観例を示す図である。
【図２】本発明の実施形態によるアンテナカバーの下蓋の構成例を示す図である。
【図３】アンテナカバーの下方向からの水分の浸入をブロックする帯状シート（水飛沫逆流防止シート）の構成例を示す図である。
【図４】帯状シートを平板に取り付けたときの状態を示す図である。
【図５】帯状シートが取り付けられた下蓋と、カバー本体部との関係を示す図である。
【図６】下蓋をカバー本体部に取り付けた状態を示す図である。
【図７】変形例による四角柱形状をしたアンテナカバーの例を示す図である。
【図８】一変形例によるドーム形状をした防水カバーの例を示す図である。
【図９】別の変形例による防水カバーの外観構成を示す図である。
【発明を実施するための形態】
【０００９】
以下、添付図面を参照して本発明の実施形態について説明する。添付図面では、機能的に同じ要素は同じ番号で表示される場合もある。なお、添付図面は本発明の原理に則った具体的な実施形態と実装例を示しているが、これらは本発明の理解のためのものであり、決して本発明を限定的に解釈するために用いられるものではない。
【００１０】
本実施形態では、当業者が本発明を実施するのに十分詳細にその説明がなされているが、他の実装・形態も可能で、本発明の技術的思想の範囲と精神を逸脱することなく構成・構造の変更や多様な要素の置き換えが可能であることを理解する必要がある。従って、以降の記述をこれに限定して解釈してはならない。
【００１１】
また、本実施形態は、内部にアンテナを収納するアンテナカバーとして説明されるが、本発明の特徴はアンテナカバーにのみ適用可能なものではなく、屋外に設置される設備一般に適用可能であることに留意すべきである。
【００１２】
＜アンテナカバー外観＞
図１は、本発明の実施形態によるアンテナカバー１の外観を示す図である。図１に示されるように、アンテナカバー１は、カップ状の上蓋１０と、筒状（円柱形状）のカバー本体部２０と、後述の帯状シート（「水飛沫逆流防止シート」、「短冊状シート」とも言うことができる）を平板に取り付けることにより構成される下蓋３０と、を有している。
【００１３】
図１に示されるように、上蓋１０をカバー本体部２０に嵌めた後（しまりばめ）、上蓋１０及びカバー本体部２０の側面に設けられたネジ穴に挿入されるネジ（図示せず）により、上蓋１０はカバー本体部２０に固定される。なお、カバー本体部２０の内部には、携帯電話機などの基地局アンテナなどが収納される。
【００１４】
同様に、下蓋３０をカバー本体部２０の内部に挿入した後（すきまばめ）、カバー本体部２０及び下蓋３０の側面に設けられたネジ穴に挿入されるネジにより（図２参照）、下蓋３０は、カバー本体部２０に固定される。下蓋３０の直径は、円筒状のカバー本体部２０の内径よりも小さく構成されているため、ネジ止めした場合でも、下蓋３０とカバー本体部２０の内側面との間に隙間が形成される。この隙間は、アンテナカバー１の内部に発生したり、浸入したりする水分を抜く機能を有することになる。例えば、カバー本体部２０の円筒内側の直径を２０３ｍｍとすると、下蓋３０の直径を２０２．５ｍｍとする。
【００１５】
ここで、上蓋１０は、強化プラスチックやアルミなどの金属材料で構成され、カバー本体部２０は、強化プラスチックで構成され、下蓋３０はアルミなどの金属材料で構成される。
【００１６】
＜下蓋の構成＞
図２は、本発明の実施形態によるアンテナカバー１の下蓋３０の構成を示す図である。図２Ａは、下蓋３０をほぼ真上から見た図である。図２Ｂは、下蓋３０を斜め上から見た図である。
【００１７】
下蓋３０は、円盤状の平板３１で構成され、平板３１に形成され、平板３１をカバー本体部２０にネジ止めするための複数の平板固定部３２と、帯状シート（水飛沫逆流防止シート）を平板３１にネジで取り付けるための、複数のネジ孔３３と、図示しないコネクタを取り付けるための、複数のコネクタ取り付け部３４と、平板固定部３２の立ち上げを容易にし、水抜き孔としても機能する、複数の切欠き３５と、を有している。
【００１８】
図２では、帯状シートを平板３１に取り付けるためのネジ孔３３は４つ設けられているが、４つに限定されるものではなく、４つより多くても良い。ただし、帯状シートを平板３１に取り付けたときに、帯状シートと平板３１との間に隙間が形成され、この隙間からアンテナカバー内部に発生する水分を確実に抜くことができるようにする必要がある。このため、帯状シートと平板３１とが隙間なく密着するようなネジ孔３３の個数は好ましくない。なお、平板３１の中心から帯状シートを取り付けるためのネジ孔３３までの長さ（複数のネジ孔３３を繋げて構成される円の半径ｒ２）は、平板３１の半径ｒ１（１０１．２５ｍｍ）よりも小さく、例えば、８６．５ｍｍと設定することができる。
【００１９】
また、平板固定部３２は、平板３１と一体として成形され、成形後に折り曲げられ、平板３１にほぼ垂直に立ち上げられることにより形成される。折り曲げて平板３１にほぼ垂直に立ち上げることを容易にするために、それぞれの平板固定部３２の両脇には切欠き３５が形成されている。この切欠き３５は、アンテナカバー１の内部に発生、或いは浸入した水分を抜くための水抜き孔としても機能するものである。従って、この切欠き３５及び帯状シートと平板３１との隙間を設けることにより、より確実にアンテナカバー１の内部に発生、或いは浸入した水分を外部に排出することが可能となる。
【００２０】
＜帯状シート（水飛沫逆流防止シート）の構成＞
図３は、アンテナカバー１の下方向からの水分の浸入をブロックする帯状シート（水飛沫逆流防止シート）４１及び４２を示す図である。図３Ａは、それぞれの帯状シート４１及び４２の外観を示す図である。図３Ｂは、帯状シート４１及び４２の関係を説明するための図である。
【００２１】
図３Ａに示されるように、帯状シート４１及び４２は同一形状をなし、帯状かつ円弧状の（扇状で中心部を打ち抜いた）プラスチック製シート（プラスチック以外の材料で構成しても良く、可撓性シートということが可能である）で構成される。この帯状シート４１及び４２は、平板３１にネジ止めするためのシート固定部４１１乃至４１３、及び４２１乃至４２３を有している。つまり、それぞれの帯状シートが３つのシート固定部を有していることになる。
【００２２】
これら２枚の帯状シート４１及び４２は、それぞれの端部を重ね合わせて平板３１に取り付けられることになる。つまり、シート固定部４１１と４２３は、平板３１上の同一のネジ孔３３に取り付けられ、シート固定部４１３と４２１も、同一のネジ孔３３に取り付けられる。それぞれの帯状シートは、シート端部よりも内側にシート固定部（４１１及び４１３、４２１及び４２３）を有しているため、帯状シート４１及び４２を平板３１に取り付けたときには、それぞれの端部付近が重なり合うようになっている。そして、帯状シート４１及び４２を平板３１に取り付けると、円錐台を反転させた形状（或いは、スープ皿形状）となる（図４及び５参照）。
【００２３】
図３Ｂを参照して、２枚の帯状シート４１及び４２の関係について説明する。帯状シート４１のシート固定部４１３と帯状シート４２のシート固定部４２１を重ねて繋ぎ合わせると、図３Ｂに示されるように、ほぼ半円の扇の中心部分を取り除いた形状をなすようになっている。このとき、扇中心Ｏとシート固定部４１１及び４１３のなす角度（θ）、或いは扇中心Ｏとシート固定部４２３及び４２１とのなす角度（θ’）は、９０度に設定されている。また、扇中心Ｏとシート固定部４１２及び、扇中心Ｏとシート固定部４１１とのなす角度（θ１）、扇中心Ｏとシート固定部４１３及び、扇中心Ｏとシート固定部４１２とのなす角度（θ２）、扇中心Ｏとシート固定部４２１及び、扇中心Ｏとシート固定部４２２とのなす角度（θ３）、扇中心Ｏとシート固定部４２２及び、扇中心Ｏとシート固定部４２３とのなす角度（θ４）は、それぞれ４５度となっている。なお、２枚の帯状シート４１及び４２の重ねたときの扇の形状は、本実施形態ではほぼ半円（扇の中心角を１８０度）としたが、これは、帯状シート４１及び帯状シート４２を平板３１に取り付けたときの帯状シートの立ち上がり角度によって異なってくるものである。例えば、立ち上がり角度をより急峻にすると扇の中心角は１８０度より小さくなる。
【００２４】
図４は、帯状シート４１及び帯状シート４２を平板３１に取り付けたときの状態を示す図である。帯状シート４１及び帯状シート４２が平板３１に取り付けられると、円錐台を反転させたような形状をした水飛沫逆流防止部５０を構成する。また、シート重なり部分４３及び４４が生じる。このシート重なり部分４３及び４４の面積は少ない方が良い。ただし、下蓋３０をカバー本体部２０に取り付けたときに、円錐台となった帯状シートと筒状のカバー本体部２０の内側との間にできるだけ隙間を作りたくない。このため、ある程度は重なっていた方が隙間は形成されず、防水効果をより発揮しやすい。
【００２５】
なお、本発明の実施形態では、２枚の帯状シートを用いて円錐台の水飛沫逆流防止部５０を構成しているが、１枚の帯状シートを用いても良いし、３枚以上の帯状シートを用いても良い。なお、１枚の帯状シートを用いると、１枚の矩形状のシートから取ることができる帯状シートの枚数が少なくなってしまい、材料コストが高くなる可能性がある。また、３枚以上の帯状シートを用いると、１枚の矩形状シートから取ることができる枚数は多くなり効率的であるが、帯状シートを平板３１に取り付ける手間が煩雑となり、製造コストを上げる原因となる可能性がある。従って、現時点においては、材料コスト及び製造コストを考慮すると、２枚の帯状シートで水飛沫逆流防止部を構成するのが効率的である。ただし、これは、１枚の帯状シート、或いは３枚以上の帯状シートで水飛沫逆流防止部を構成することを排除するものではないことに留意すべきである。
【００２６】
＜下蓋とカバー本体部との関係＞
図５は、帯状シート４１及び帯状シート４２が取り付けられた下蓋３０と、カバー本体部２０との関係を示す図である。
【００２７】
図５に示されるように、帯状シート４１及び帯状シート４２が平板３１に取り付けられると円錐台状の水飛沫逆流防止部５０が形成される。下蓋３０をカバー本体部２０の取り付ける前の状態において、平板３１の半径をｒ１、帯状シート固定用のネジ孔３３のピッチ円の半径をｒ２、円錐台（水飛沫逆流防止部５０）の長辺の半径をｒ３、カバー本体部２０の内側半径をｒ４とすると、ｒ３≧ｒ４≧ｒ１＞ｒ２という関係となっている。なお、下蓋３０の半径ｒ１とカバー本体部２０の内側半径ｒ４を同じサイズとすることも可能であるが、カバー本体部２０に対する下蓋３０の遊びを取ることにより下蓋３０の取り付けを容易にし、かつ水抜きのための隙間を形成するためには、ｒ１はｒ４より小さい方が望ましい。また、円錐台の長辺の半径ｒ３とカバー本体部２０の内側半径ｒ４とを同じサイズにすることも可能であるが、水飛沫逆流防止部５０の端部とカバー本体部２０の内側面との密着度をより高くするためには、ｒ３はｒ４よりも少し大きい方が望ましい。また、水飛沫逆流防止部５０は、平板３１に設けられた平板固定部３２と干渉しないようにすることが望ましく、その上端部５１は平板固定部３２の上端よりも上方に位置するようにする必要がある。
【００２８】
ここで、帯状シート４１及び帯状シート４２の幅をＷとすると、水飛沫逆流防止部５０の立ち上がり角度αは、α＝ｃｏｓ−１（（ｒ３−ｒ２）／Ｗ）により決定することができる。また、図３Ｂを参照し、帯状シートの幅をＷ、展開時（装着前）の帯状シートの外側半径をｒａ、内側半径をｒｂとすると、２π×ｒ３＝２π×ｒａ×２θ／３６０度、２π×ｒ２＝２π×ｒｂ×２θ／３６０度、ｒａ＝ｒｂ＋Ｗという関係式が成り立つ。よって、例えば、ｒ２、ｒ３及びαの値を与えれば、帯状シートのサイズを決定することが可能となる。なお、帯状シートの幅Ｗは、帯状シートで構成される水飛沫逆流防止部５０の上端部５１が下からの水の吹き上がりによる水の浸入をロックし、水飛沫逆流防止部５０の下側の隙間から水を排出できる必要最小限の幅に設定すれば良い。
【００２９】
図６は、下蓋３０をカバー本体部２０に取り付けた状態を示す図である。帯状シート４１及び帯状シート４２が取り付けられた（水飛沫逆流防止部５０が形成された）下蓋３０をカバー本体部２０に取り付ける場合、上述のように、円錐台状の水飛沫逆流防止部５０の長辺の直径がカバー本体部２０の内径よりも大きいため、水飛沫逆流防止部５０の上端部が多少内側に押されてカバー本体部２０内に収納されることになる。このため、水飛沫逆流防止部５０とカバー本体部２０の内側面（内壁）との密着性が向上すると共に、水飛沫逆流防止部５０と平板３１との隙間が挿入（装着）前よりも大きくなり、カバー内部に発生、或いは浸入した水分を確実に排出することが可能となる。
【００３０】
＜変形例＞
（１）本発明の実施形態では、帯状シート４１及び帯状シート４２を平板３１にネジ止めにより固定しているが、例えば金属製やプラスチック製のリベット等でかしめて止めるようにしても良いし、圧着や接着しても良く、平板３１と帯状シート４１及び帯状シート４２が確実に接合されていれば良い。
【００３１】
また、帯状シート４１及び帯状シート４２のシート固定部４１１乃至４１３、及び４２１乃至４２３を平板３１のシート取り付け孔（帯状シート固定用のネジ孔３３に代替するもの）に嵌め込むことによりしっかりと固定できるような構造を採るようにしても良い。
【００３２】
（２）本発明の実施形態では、アンテナカバー１の形状として円筒形を例に説明したが、アンテナカバー１の形状は円筒形以外の多角柱形状であっても良い。図７は、変形例による四角柱形状をしたアンテナカバー１’の例を示す図である。図７Ａは、カバー本体部２０’と下蓋３０’の外観を示す図である。図７Ｂは、水飛沫逆流防止部５０’を４枚の帯状シートで構成する場合の各帯状シートの形状を示す図である。図７Ｃは、水飛沫逆流防止部５０’を２枚の帯状シートで構成する場合の各帯状シートの形状を示す図である。
【００３３】
カバー本体部２０’が四角柱形状をなしているため、下蓋３０’の平板３１’はカバー本体部２０’の断面形状と同様に四角形形状をなしている。また、水飛沫逆流防止部５０’は、四角柱形状のカバー本体部２０’の内側側面に密着する必要があるため、平板３１’には四角錐台形状となるように装着される（図７Ａ参照）。この場合も、アンテナカバーが円筒形をなす場合と同様に、四角錐台の長辺の長さは、カバー本体部２０’の内側側面横方向の長さよりも多少大きくなるように構成されている。
【００３４】
水飛沫逆流防止部５０’は、１枚の帯状シートで構成しても良いし、２枚以上で構成しても良い。なお、図７Ｂ及びＣには、２枚で構成した場合と４枚で構成した場合の例が示されている。各帯状シートは、図７Ｂ及びＣに示されるように、直線状の帯部分と、円弧状の帯部分を有している。１つの直線状の帯部分と別の帯状部分とがなす角度は、例えば１３５度に設定され、この部分が円弧状の帯で構成されることになる。
【００３５】
なお、本発明は、アンテナカバー以外にも、屋外に設置される設備（例えば、照明、固定カメラ、通信機器、警報装置等）を保護するためのカバー一般に適用可能であるとともに、屋内プールや地下等、屋内であっても内部に収容されるものに対して防水性を施して保護するためのカバーにも適用可能である。
【００３６】
また、本実施形態ではカバーの断面形状が円の場合と、角が円弧形状になっている四角形を例に説明したが、この断面の形状は上記形状に限る必要は無く、三角形や五角形などの多角形でも良く、円弧と平面を組合せた様な、いわゆる蒲鉾状の形状であっても良い。さらに、多角形の角の形状は必ずしも円弧状でなくても良い。また、図８に示されるように、円盤状の下蓋にドーム状のカバー本体部を組み合わせても良い。
【００３７】
（３）上述の実施形態では、下部材が平板形状の下蓋で構成されている防水カバーについて説明しているが、下蓋ではない、例えば柱状部品等、蓋（平板）とは言えない所定の厚さ或いは高さを有する部材を採用しても良い。図９は、このような一変形例による防水カバーの外観構成を示す図である。
【００３８】
図９に示されるように、当該変形例による防水カバー９０は、上部材９１と、下部材９２と、を有している。上部材９１は、図１に示される実施形態によるアンテナ（防水）カバー１の上蓋１０と本体部２０とが１つの部材として形成されたものであり、上部材９１の内部の空間に防水性を要する（水分から保護すべき）対象物が収容される。また、上部材９１は、円形ドーム形状以外の形状、四角ドームや柱形状をなしても良く、さらに、アンテナ（防水）カバー１（図１や図７）のように、上蓋と本体部とを別構成にしても良い。下部材９２には、水飛沫逆流防止部５０が取り付けられている。水飛沫逆流防止部５０は、上述の実施形態と同様、帯状シートで構成されている（図３及び図４参照）。また、水飛沫逆流防止部５０と上部材９１及び下部材９２との関係は、図５及び図６に示した通りであるので、詳細な説明は省略する。
【００３９】
＜まとめ＞
本発明の実施形態によれば、携帯電話用の基地局アンテナ等の屋外設備を収納するカバーが、筒状（円筒形状や多角柱形状）のカバー本体部と、カバー本体部の上蓋と、カバー本体部にすきまばめされた下蓋と、を有する。上蓋と下蓋の形状は、カバー本体部の断面形状に整合するものとなっている。そして、下蓋は平板で構成されている。また、平板には水飛沫逆流防止部が設けられている。この水飛沫逆流防止部は、帯状のシート（可撓性のあるシート）で構成されており、当該帯状のシートが所定の角度で平板から起ち上がるように平板に取り付けられるものである。このように、下蓋を平板で構成し、かつ比較的安価なシート状部材を用いているため、屋外設備を水分から保護するための屋外設備用カバーの製造コストを低減することが可能となる。しかも、カバー下側からの水飛沫の浸入を防止する機能は従来のカバーに比べても劣ることはない。
【００４０】
また、水飛沫逆流防止部の上側端部で構成される面のサイズがカバー本体部の内側側面の断面のサイズよりも大きく構成されているため、水飛沫逆流防止部の上側端部はカバー本体部の内側側面に密着するようになる。これにより、水飛沫のカバー内部への浸入をより確実に防止することができるようになる。
【００４１】
下蓋の平板のサイズは、カバー本体部の内側側面の断面のサイズよりも小さく構成されている。このため、平板とカバー本体部の内側側面との間には隙間が形成される。また、下蓋には切欠きが形成されている。さらに、水飛沫逆流防止部と下蓋平板との間には隙間が形成されている。このようにすることにより、結露等により水分がカバー内部で発生したような場合や、万が一カバー内部に水飛沫が浸入してしまったような場合であっても、効率的に水分を外に排出することができる。
【００４２】
また、カバー本体部と上蓋とがドーム形状のカバーとして一体として形成されていても良い。さらに、上述のように平板からなる下蓋ではなく、柱状の下部材に水飛沫逆流防止部を取り付けるようにしても良い。この場合、カバーはドーム形状でもよく、上蓋とカバー本体部とによって構成されていても良い。
【符号の説明】
【００４３】
１，１’・・・アンテナカバー
１０・・・上蓋
２０，２０’・・・カバー本体部
３０，３０’・・・下蓋
３１，３１’・・・平板
３２・・・平板固定部
３３・・・ネジ孔
３５・・・切欠き
４１，４２・・・帯状シート
４１１乃至４１３，４２１乃至４２３・・・シート固定部
５０，５０’・・・水飛沫逆流防止部
９０・・・防水カバー
９１・・・上部材
９２・・・下部材
【図１】
0005946496.tif 000002
【図２】
0005946496.tif 000003
【図３】
0005946496.tif 000004
【図４】
0005946496.tif 000005
【図５】
0005946496.tif 000006
【図６】
0005946496.tif 000007
【図７】
0005946496.tif 000008
【図８】
0005946496.tif 000009
【図９】
0005946496.tif 000010